(57)【要約】【課題】建物の天井等に設置される火災感知器に取付可能な情報発信アダプタであって、火災感知器による火災監視を中断することなく電池を交換することが可能な情報発信アダプタを提供する。【解決手段】火災感知器２００に取付可能な情報発信アダプタ１００，３００であって、情報発信端末１２１と当該情報発信端末１２１に電力を供給する電池１２２とを有する情報発信モジュール１２０と、火災感知器２００の外部からの作用によって動作可能な可動体（回転カバー１０２、電池用ベース部材３１２）と、を備え、可動体が動作することによって、電池１２２が交換可能となる。【選択図】図９
2018055305.tif 000002
【特許請求の範囲】
【請求項１】
火災感知器に取付可能な情報発信アダプタであって、
情報発信端末と当該情報発信端末に電力を供給する電池とを有する情報発信モジュールと、
前記火災感知器の外部からの作用によって動作可能な可動体と、を備え、
前記可動体が動作することによって、前記電池が交換可能となることを特徴とする情報発信アダプタ。
【請求項２】
当該情報発信アダプタは、前記火災感知器の近傍に取付可能であり、
前記火災感知器の外周側面よりも外方に位置するベース部材を備え、
前記ベース部材は、前記電池を着脱自在に収容する収容凹部を有し、
前記可動体は、孔部を有し、前記ベース部材に回転自在に装着され、
前記可動体が回転することによって、前記収容凹部が当該可動体によって隠蔽された状態と、前記収容凹部が前記孔部を介して露出された状態と、に変換可能であることを特徴とする請求項１に記載の情報発信アダプタ。
【請求項３】
当該情報発信アダプタは、前記火災感知器の内部に取付可能であり、
前記可動体は、前記電池を着脱自在に収容する収容凹部を有し、前記火災感知器に対してスライド移動自在であり、
前記可動体がスライド移動することによって、当該可動体が前記火災感知器の外面に設けられた着脱口から挿入されて前記収容凹部が前記火災感知器の内部に隠蔽された状態と、当該可動体が前記着脱口から抜去されて前記収容凹部が外部に露出した状態と、に変換可能であることを特徴とする請求項１に記載の情報発信アダプタ。
【請求項４】
電池駆動式の情報発信モジュールを備えた情報発信アダプタに搭載されている電池を交換するための電池交換装置であって、
前記情報発信アダプタから使用済みの電池を回収する電池回収部と、
前記情報発信アダプタに未使用の電池を供給する電池供給部と、
回転自在な回転部と、を備え、
前記電池回収部、前記電池供給部、および前記回転部のうちの少なくとも１つが前記情報発信アダプタの一部と接した状態で前記回転部を回転させることによって、前記電池を交換できるよう構成されていることを特徴とする電池交換装置。
【発明の詳細な説明】
【技術分野】
【０００１】
本発明は、情報発信端末や当該情報発信端末に電力を供給する電池などを搭載した情報発信アダプタに関し、特に建物の天井等に設置される火災感知器に取付可能な情報発信アダプタに関する。また、情報発信アダプタに搭載されている電池を交換するための電池交換装置に関する。
【背景技術】
【０００２】
近年、機器固有の識別情報を位置検出用の情報として無線により発信するビーコン等の情報発信端末や当該情報発信端末に電力を供給する電池などを備えた情報発信モジュールが建物に設置されることがある。このような位置検出システムでは、複数の情報発信モジュールの各識別情報と各設置箇所とを対応付けたマップ情報が予め用意され、端末装置に与えられる。そして、端末装置が建物内で情報発信モジュールから識別情報を受信することで、受信した識別情報とマップ情報とから建物内で位置を検出するのに利用される。
【０００３】
ところで、建物の天井等に設置される火災感知器には、アドレス機能付火災感知器の他に、アドレス機能を有しない火災感知器である一般火災感知器もあり、この一般火災感知器にアドレス機能を付与する中継器が提案されている（例えば特許文献１参照）。具体的には、当該中継器は、自己の固有のアドレスを有しており、一般火災感知器が発報すれば、発報信号とともに自己のアドレスを火災受信機に送信可能であるとともに、建物の天井等（感知器取着面）に固着する感知器ベース（ベース）と、当該感知器ベースに取付ける感知器本体（一般火災感知器）と、の間に配設可能である。
当該中継器のように、例えば情報発信モジュールが搭載された情報発信アダプタを、建物の天井等に設置される火災感知器に取付けることで、情報発信モジュール専用の設置箇所を別途設けることなく、複数の情報発信モジュールを建物の適切な位置に適切な間隔で配置することができる。
【先行技術文献】
【特許文献】
【０００４】
【特許文献１】特開平１０−２９３８９１号公報
【発明の概要】
【発明が解決しようとする課題】
【０００５】
しかしながら、上記中継器の場合、当該中継器を構成する構成要素（連結端子、接続端子、一般火災感知器の発報検出やアドレス付加などを行う回路が設けられた基板等）を交換する際には、感知器ベースから感知器本体を外して、感知器ベースと感知器本体との接続を解除する必要がある。感知器ベースと感知器本体との接続が解除されると、火災感知器の機能が停止した状態、すなわち火災感知器による火災監視が中断された状態になる。したがって、上記中継器の構成を情報発信アダプタに適用した場合、火災感知器による火災監視が中断された状態でなければ、当該情報発信アダプタに搭載されている電池を交換することができない。
【０００６】
そこで、本発明は、建物の天井等に設置される火災感知器に取付可能な情報発信アダプタであって、火災感知器による火災監視を中断することなく電池を交換することが可能な情報発信アダプタを提供することを目的とする。また、このような情報発信アダプタに搭載されている電池を容易に交換することが可能な電池交換装置を提供することを目的とする。
【課題を解決するための手段】
【０００７】
本発明の情報発信アダプタは、
火災感知器に取付可能な情報発信アダプタであって、
情報発信端末と当該情報発信端末に電力を供給する電池とを有する情報発信モジュールと、
前記火災感知器の外部からの作用によって動作可能な可動体と、を備え、
前記可動体が動作することによって、前記電池が交換可能となることを特徴とする。
【０００８】
本発明の情報発信アダプタによれば、可動体が動作することによって電池が交換可能となるが、当該可動体は火災感知器の外部からの作用によって動作するため、感知器ベースと感知器本体との接続を解除しなくても可動体を動作させることができる。したがって、火災感知器による火災監視を中断することなく電池を交換することができる。
【０００９】
ここで、本発明の情報発信アダプタは、前記火災感知器の近傍に取付可能であり、
前記火災感知器の外周側面よりも外方に位置するベース部材を備え、
前記ベース部材は、前記電池を着脱自在に収容する収容凹部を有し、
前記可動体は、孔部を有し、前記ベース部材に回転自在に装着され、
前記可動体が回転することによって、前記収容凹部が当該可動体によって隠蔽された状態と、前記収容凹部が前記孔部を介して露出された状態と、に変換可能であるよう構成することが可能である。
【００１０】
このように構成することによって、火災感知器の外部からの作用により可動体を回転させるだけで電池が交換可能となるため、電池交換を容易に行うことができる。
【００１１】
あるいは、本発明の情報発信アダプタは、前記火災感知器の内部に取付可能であり、
前記可動体は、前記電池を着脱自在に収容する収容凹部を有し、前記火災感知器に対してスライド移動自在であり、
前記可動体がスライド移動することによって、当該可動体が前記火災感知器の外面に設けられた着脱口から挿入されて前記収容凹部が前記火災感知器の内部に隠蔽された状態と、当該可動体が前記着脱口から抜去されて前記収容凹部が外部に露出した状態と、に変換可能であるよう構成することが可能である。
【００１２】
このように構成することによって、火災感知器の外部からの作用により可動体をスライド移動させるだけで電池が交換可能となるため、電池交換を容易に行うことができる。
【００１３】
また、本発明の電池交換装置は、
電池駆動式の情報発信モジュールを備えた情報発信アダプタに搭載されている電池を交換するための電池交換装置であって、
前記情報発信アダプタから使用済みの電池を回収する電池回収部と、
前記情報発信アダプタに未使用の電池を供給する電池供給部と、
回転自在な回転部と、を備え、
前記電池回収部、前記電池供給部、および前記回転部のうちの少なくとも１つが前記情報発信アダプタの一部と接した状態で前記回転部を回転させることによって、前記電池を交換できるよう構成されていることを特徴とする。
【００１４】
本発明の電池交換装置によれば、情報発信アダプタが有する可動体と接した状態で回転部を回転させるだけで、情報発信アダプタの電池を交換できるため、電池交換を容易に行うことができる。
【発明の効果】
【００１５】
本発明の情報発信アダプタによれば、建物の天井等に設置される火災感知器に取付可能な情報発信アダプタであって、火災感知器による火災監視を中断することなく電池を交換することができる
。
また、本発明の電池交換装置によれば、情報発信アダプタに搭載されている電池を容易に交換することができる。
【図面の簡単な説明】
【００１６】
【図１】第１実施形態に係る情報発信アダプタの設置例を示す図である。
【図２】第１実施形態に係る感知器ベースの一例を示す図である。
【図３】第１実施形態に係る情報発信アダプタの一例を示す図である。
【図４】第１実施形態に係る情報発信アダプタを構成するアダプタ本体の一例を示す図である。
【図５】第１実施形態に係る情報発信アダプタの閉塞状態および開放状態の一例を示す図である。
【図６】第１実施形態に係る電池交換装置および電池供給部の一例を示す図である。
【図７】第１実施形態における電池交換方法の一例を説明する図である。
【図８】第１実施形態における電池交換方法の一例を説明する図である。
【図９】第１実施形態における電池交換方法の一例を説明する図である。
【図１０】第２実施形態に係る情報発信アダプタの設置例を示す図である。
【図１１】第２実施形態に係る感知器ベースおよび情報発信アダプタの一例を示す図である。
【図１２】第２実施形態に係る感知器ベースおよび情報発信アダプタの一例を示す図である。
【図１３】第２実施形態に係る電池交換装置の一例を示す図である。
【図１４】第２実施形態に係る電池交換装置の一例を示す図である。
【図１５】第２実施形態における電池交換方法の一例を説明する図である。
【図１６】第２実施形態における電池交換方法の一例を説明する図である。
【発明を実施するための形態】
【００１７】
以下、本発明の実施形態について図面を参照して説明する。なお、以下の説明では、天井側を上側とし、床側を下側とする。また、以下の説明においては、下側（床側）から見て時計回り方向を単に「時計回り方向」と言い、下側（床側）から見て反時計回り方向を単に「反時計回り方向」と言う。
【００１８】
＜第１実施形態＞
［情報発信アダプタ］
図１は、第１実施形態に係る情報発信アダプタの設置例を示す図である。図１（ｂ）は、図１（ａ）において情報発信アダプタのみを断面で示した図である。図２は、第１実施形態に係る火災感知器の感知器ベースの一例を示す図であって、下面側から見た図である。なお、第１実施形態の説明に用いる各図面（図１〜図９）のうち、図２以外の図面では、感知器ベースとしての機能を実現する機能部（接続端子２１２や挿通孔２１３や引込孔２１４など）の図示を省略している。
【００１９】
第１実施形態の情報発信アダプタ１００は、例えば図１（ａ），（ｂ）に示すように、火災感知器２００の周囲に配設可能である。ここで、火災感知器２００が取付けられる被取付部Ｐは、天井面や、屋内配線等に用いられるボックス（アウトレットボックス、露出ボックス等）や、感知器取付金具などである。
火災感知器２００は、例えば図１（ｂ）に示すように、円板状の感知器ベース２１０と、外形ドーム状の感知器本体２２０と、を備えて構成される。
【００２０】
感知器ベース２１０は、火災感知器２００の基部であり、取付ネジ２３０によって被取付部Ｐに取付けられる。感知器ベース２１０は、例えば図２に示すように、円板状の本体２１１と、本体２１１の下面側に装着された複数（本実施形態では３つ）の接続端子２１２と、を備えている。
接続端子２１２は、火災受信機等から延びる感知器回線Ｑ（電源線や伝送線など）と感知器本体２２０とを電気的に接続するためのものである。接続端子２１２は、箱型部分２１２ａと、当該箱型部分２１２ａから延出するブレード状部分２１２ｂと、を有している。箱型部分２１２ａは、電線接続端子であり、当該箱型部分２１２ａに設けられた差込穴２１２ａ１に感知器回線Ｑの先端が差込まれるようになっている。ブレード状部分２１２ｂは、連結端子であり、火災の感知を実際に行う感知器本体２２０に設けられた爪片（連結端子）と係合して当該感知器本体２２０を保持するようになっている。
【００２１】
感知器ベース２１０の本体２１１には、取付ネジ２３０用のネジ孔として、円周方向の長孔２１３ａを連成した挿通孔２１３が、上下方向に貫通して設けられている。
また、感知器ベース２１０の本体２１１の略中央部には、感知器回線Ｑの先端部を感知器ベース２１０の上面側から下面側へと引き込むための引込孔２１４が、上下方向に貫通して設けられている。
【００２２】
さらに、本実施形態においては、感知器ベース２１０が有する挿通孔２１３，２１３（長孔２１３ａ，２１３ａも含む）だけでなく、感知器ベース２１０が有する第一貫通孔２１５，２１５や第二貫通孔２１６，２１６も、取付ネジ２３０用のネジ孔として用いることができる。すなわち、図２に示す感知器ベース２１０の場合、三組のネジ孔を有しており、これら三組のネジ孔の中から、被取付部Ｐ等に設けられている取付ネジ２３０用のネジ受け部の位置に適合する組のネジ孔を選択して用いることができるよう構成されている。このように、火災感知器２００の融通性を高める（１種類の感知器ベース２１０で様々な取付け方に対応できるようにする）等の観点から、火災感知器２００には、取付ネジ２３０用のネジ孔として、複数組のネジ孔が設けられている。
【００２３】
図３は、第１実施形態に係る情報発信アダプタの一例を示す図であって、上面側から見た斜視図である。図４は、第１実施形態に係る情報発信アダプタを構成するアダプタ本体の一例を示す図であって、下面側から見た図である。
情報発信アダプタ１００は、例えば図１（ａ），（ｂ）に示すように、アダプタ本体１０１と、アダプタ本体１０１に装着される回転カバー１０２と、を備えて構成される。
アダプタ本体１０１は、例えば図４に示すように、ベース部材１１０と、ベース部材１１０に装着される情報発信モジュール１２０と、を備えて構成される。
【００２４】
アダプタ本体１０１のベース部材１１０は、例えば図１（ｂ）に示すように、火災感知器２００の外周側面よりも外方に位置している。具体的には、ベース部材１１０は、例えば図３（ａ），（ｂ）に示すように、火災感知器２００の感知器ベース２１０の外径よりも若干大きな内径を有するＣ字板状に形成されている。
また、ベース部材１１０は、例えば図１（ｂ）に示すように、火災感知器２００の外周側面よりも内方に位置する挟持部１１１を有している。具体的には、ベース部材１１０には、例えば図３（ａ），（ｂ）に示すように、当該ベース部材１１０の内周面から内側に突出する挟持部１１１が設けられている。アダプタ本体１０１は、この挟持部１１１が火災感知器２００と当該火災感知器２００が取付けられる被取付部Ｐとに挟持されることで、火災感知器２００に固定される。
【００２５】
回転カバー１０２は、例えば図１（ｂ）に示すように、火災感知器２００の感知器ベース２１０の外径よりも若干大きな内径を有する円環板状に形成されている。すなわち、回転カバー１０２は、例えば図３（ａ），（ｂ）に示すように、火災感知器２００が挿通可能なサイズの中央開口１０２ａを有する環状をなしている。
回転カバー１０２は、アダプタ本体１０１の下面を覆う蓋体であり、火災感知器２００に固定されているアダプタ本体１０１に、当該火災感知器２００の下方から着脱自在に装着される。
【００２６】
例えば図３（ａ）に示すように、回転カバー１０２の外縁には、上側に突出する環状の係止壁１０２ｂが設けられている。係止壁１０２ｂの先端部には、内側を向いた係止爪１０２ｂ１が設けられている。一方、アダプタ本体１０１のベース部材１１０の外周面のうち係止壁１０２ｂに対応する位置には、係止爪１０２ｂ１を係止させる環状の溝部１１０ｂが形成されている。
【００２７】
例えばアダプタ本体１０１の下面側に回転カバー１０２を当接させた状態で、当該回転カバー１０２を押上げる。すると、回転カバー１０２の係止爪１０２ｂ１がアダプタ本体１０１の溝部１１０ｂに嵌り、これにより回転カバー１０２が抜け落ちないようにアダプタ本体１０１に回転カバー１０２を装着することができる（図３（ｂ）参照）。また、例えば回転カバー１０２の係止壁１０２ｂの先端（上端）に指をかけて、回転カバー１０２を押下げることで、回転カバー１０２をアダプタ本体１０１から外すことができる（図３（ａ）参照）。
【００２８】
アダプタ本体１０１に設けられている溝部１１０ｂは、らせん状ではなく、環状である。すなわち、溝部１１０ｂの始点と終点とは一致している。したがって、回転カバー１０２は、アダプタ本体１０１に装着された状態で、当該アダプタ本体１０１に対して時計回り方向にも反時計回り方向にも回すことができる。すなわち、回転カバー１０２は、アダプタ本体１０１に回転自在に装着される。
なお、回転カバー１０２をアダプタ本体１０１に回転自在かつ着脱自在に係止するための係止構造は、係止壁１０２ｂと溝部１１０ｂとからなるものに限定されず、適宜変更可能である。
また、アダプタ本体１０１の挟持部１１１の適宜の箇所に、下側に突出する突起が設けられていてもよい。この場合、当該突起が、感知器ベース２１０の上面に設けられている凹部（図示省略）に引っ掛かることによって、アダプタ本体１０１に装着されている回転カバー１０２を回す際に、アダプタ本体１０１まで回転してしまうことを防止することができる。
【００２９】
アダプタ本体１０１の情報発信モジュール１２０は、位置検出用に機器固有の識別情報を無線により発信するモジュールである。情報発信モジュール１２０は、図４に示すように、回路基板や送信回路部やアンテナ部などを備える情報発信端末１２１と、情報発信端末１２１に電力を供給する電池（ボタン形電池）１２２と、を有している。
アダプタ本体１０１のベース部材１１０には、一の電池１２２を着脱自在に収容する凹状の収容室１１０ｃが円周方向に沿って等間隔に４個設けられている。これら４個の収容室１１０ｃは並列接続されているため、４個の収容室１１０ｃのうちの少なくとも１つに電池１２２が収容されていれば、情報発信端末１２１に電力を供給することができる。
収容室１１０ｃは、下方に向けて開口しているため、アダプタ本体１０１に回転カバー１０２が装着されていないと、収容室１１０ｃに収容されている電池１２２が落下してしまう。すなわち、回転カバー１０２は、収容室１１０ｃに電池１２２が収容されている状態を維持するために設けられている。
【００３０】
図５（ａ）は、情報発信アダプタ１００の閉塞状態を示す図であり、図５（ｂ）は、情報発信アダプタ１００の開放状態を示す図である。図５では、取付ネジ２３０の図示を省略している。
回転カバー１０２は、例えば図３（ａ）や図５（ｂ）に示すように、上下方向に貫通する第一孔部１０２ｃおよび第二孔部１０２ｄと、下方に向けて開口する凹部１０２ｅと、を有している。
【００３１】
第一孔部１０２ｃ、第二孔部１０２ｄ、および凹部１０２ｅは、４個の収容室１１０ｃのうちの３つにそれぞれ対応して設けられている。したがって、情報発信アダプタ１００は、アダプタ本体１０１に装着されている回転カバー１０２を回すことで、４個の収容室１１０ｃの全てが閉塞された閉塞状態（図５（ａ）参照）から、４個の収容室１１０ｃのうちの何れか２つが開放された開放状態（図５（ｂ）参照）に変換可能となっている。
すなわち、開放状態では、４個の収容室１１０ｃのうちの１つの直下に第一孔部１０２ｃが配置され、残り３個の収容室１１０ｃのうちの１つの直下に第二孔部１０２ｄが配置される。一方、閉塞状態では、４つの収容室１１０ｃの何れの直下にも第一孔部１０２ｃや第二孔部１０２ｄが配置されない。
【００３２】
ここで、本実施形態では、４個の収容室１１０ｃのうちの一の収容室１１０ｃに対応して第一孔部１０２ｃが設けられており、当該一の収容室１１０ｃに時計回り側で隣接する収容室１１０ｃに対応して第二孔部１０２ｄが設けられている。
なお、第一孔部１０２ｃに対する第二孔部１０２ｄの位置は適宜選択可能であるが、より多くの電池１２２を搭載可能にする、より多くの電池１２２を交換可能にする等の観点から、本実施形態のように、互いに隣接する２つの収容室１１０ｃのうちの、一方に対応して第一孔部１０２ｃを設け、他方に対応して第二孔部１０２ｄを設けることが好ましい。
【００３３】
次に、情報発信アダプタ１００の設置方法の一例を説明する。
まず、被取付部Ｐに設置されている火災感知器２００において、感知器ベース２１０から感知器本体２２０を外す（第１工程）。
次いで、取付ネジ２３０を緩めて、感知器ベース２１０と被取付部Ｐとの間に所定の間隙を作る（第２工程）。
【００３４】
次いで、収容室１１０ｃに電池１２２が収容されていない状態のアダプタ本体１０１を、感知器ベース２１０と被取付部Ｐとの間に差込む（第３工程）。本実施形態において、アダプタ本体１０１のベース部材１１０は、円環状の一部に開放部１１０ａを設けたＣ字状に形成されている（図３（ａ），（ｂ）や図４参照）。この開放部１１０ａは、アダプタ本体１０１を火災感知器２００と被取付部Ｐとの間に差込む際、取付ネジ２３０や感知器回線Ｑとの干渉を回避するために設けられている。すなわち、アダプタ本体１０１は、開放部１１０ａを有しているため、取付ネジ２３０や感知器回線Ｑに邪魔されることなく、火災感知器２００と被取付部Ｐとの間に差込むことができる。したがって、アダプタ本体１０１は、感知器本体２２０を外して、取付ネジ２３０を緩めるだけで、火災感知器２００と、当該火災感知器２００が取付けられる被取付部Ｐと、の間に配置することができる。
【００３５】
次いで、取付ネジ２３０を締めて、感知器ベース２１０と被取付部Ｐとでベース部材１１０に設けられた挟持部１１１を挟む（第４工程）。
次いで、感知器本体２２０を感知器ベース２１０に取付けて、火災感知器２００を構成する（第５工程）。
次いで、回転カバー１０２を、火災感知器２００の下方からアダプタ本体１０１に取付ける（第６工程）。本実施形態において、回転カバー１０２は、火災感知器２００の径よりも若干大きな径の中央開口１０２ａを有しているため、火災感知器２００に邪魔されることなく、アダプタ本体１０１に装着することができる。
そして、ベース部材１１０の収容室１１０ｃに電池１２２を収容して、情報発信アダプタ１００を構成する（第６工程）。
【００３６】
第６工程では、回転カバー１０２を回転させて、４個の収容室１１０ｃのうちの空の収容室１１０ｃの直下に第二孔部１０２ｄを位置させ、第二孔部１０２ｄを介して当該空の収容室１１０ｃに電池１２２（未使用の電池１２２）を収容する。この収容作業を繰り返し行うことで、情報発信アダプタ１００に複数の電池１２２を搭載することができる。
【００３７】
本実施形態の場合、最大で３個の電池１２２を情報発信アダプタ１００に搭載することが可能であるが、その手法の一例を説明する。
ここでは、情報発信アダプタ１００が有する４個の収容室１１０ｃをそれぞれ「収容室Ａ」、「収容室Ｂ」、「収容室Ｃ」、および「収容室Ｄ」と呼ぶとする。そして、これらの収容室が、収容室Ａ→収容室Ｂ→収容室Ｃ→収容室Ｄの順で反時計回り方向に並んでいるとする。
【００３８】
前述したように、本実施形態では、４個の収容室１１０ｃのうちの一の収容室１１０ｃに対応して第一孔部１０２ｃが設けられており、当該一の収容室１１０ｃに時計回り側で隣接する収容室１１０ｃに対応して第二孔部１０２ｄが設けられている。したがって、収容室Ａの直下に第一孔部１０２ｃが位置する場合には、当該収容室Ａに時計回り側で隣接する収容室Ｄの直下に第二孔部１０２ｄが位置し、収容室Ｂの直下に第一孔部１０２ｃが位置する場合には、当該収容室Ｂに時計回り側で隣接する収容室Ａの直下に第二孔部１０２ｄが位置し、収容室Ｃの直下に第一孔部１０２ｃが位置する場合には、当該収容室Ｃに時計回り側で隣接する収容室Ｂの直下に第二孔部１０２ｄが位置し、収容室Ｄの直下に第一孔部１０２ｃが位置する場合には、当該収容室Ｄに時計回り側で隣接する収容室Ｃの直下に第二孔部１０２ｄが位置する。
【００３９】
具体的には、第６工程では、まず、回転カバー１０２を回転させて、収容室Ａの直下に第二孔部１０２ｄを位置させ、第二孔部１０２ｄを介して収容室Ａに電池１２２（未使用の電池１２２）を収容する（第６−１工程）。
次いで、回転カバー１０２を反時計回り方向に９０度回転させて、収容室Ｂの直下に第二孔部１０２ｄを位置させ、第二孔部１０２ｄを介して収容室Ｂに電池１２２（未使用の電池１２２）を収容する（第６−２工程）。第６−１工程の後、回転カバー１０２を時計回り方向に９０度回転させて、収容室Ｄの直下に第二孔部１０２ｄを位置させてもよいが、その場合、収容室Ａの直下に第一孔部１０２ｃが位置することになり、第６−１工程で収容室Ａに収容した電池１２２が第一孔部１０２ｃを介して落下してしまう。よって、第６−２工程では、回転カバー１０２を反時計回り方向に回転させる。
【００４０】
次いで、回転カバー１０２を反時計回り方向に９０度回転させて、収容室Ｃの直下に第二孔部１０２ｄを位置させ、第二孔部１０２ｄを介して収容室Ｃに電池１２２（未使用の電池１２２）を収容する（第６−３工程）。第６−２工程の後、回転カバー１０２を時計回り方向に９０度回転させて、収容室Ａの直下に第二孔部１０２ｄを位置させてもよいが、その場合、収容室Ｂの直下に第一孔部１０２ｃが位置することになり、第６−２工程で収容室Ｂに収容した電池１２２が第一孔部１０２ｃを介して落下してしまう。よって、第６−３工程では、回転カバー１０２を反時計回り方向に回転させる。
そして、回転カバー１０２を反時計回り方向に４５度程度回転させて、収容室Ｃと収容室Ｄとの間に第二孔部１０２ｄを位置させ、情報発信アダプタ１００を閉塞状態にする（第６−４工程）。第６−３工程の後、回転カバー１０２を反時計回り方向に９０度回転させて、収容室Ｄの直下に第二孔部１０２ｄを位置させると、収容室Ａの直下に第一孔部１０２ｃが位置することになり、第６−１工程で収容室Ａに収容した電池１２２が第一孔部１０２ｃを介して落下してしまう。よって、第６−４工程では、回転カバー１０２を４５度程度回転させる。
これにより、収容室Ａ、収容室Ｂ、および収容室Ｃに電池１２２（未使用の電池１２２）を供給すること、すなわち情報発信アダプタ１００に３個の電池１２２を搭載することができる。
【００４１】
このように、複数の収容室１１０ｃのうちの一の収容室１１０ｃに対応して第一孔部１０２ｃが設けられているとともに、当該一の収容室１１０ｃに時計回り側で隣接する収容室１１０ｃに対応して第二孔部１０２ｄが設けられている場合には、回転カバー１０２を反時計回り方向に回転（閉塞状態から第６工程を開始した場合には２７０度程度回転）させることで、より多くの電池１２２を情報発信アダプタ１００に搭載することが可能となる。情報発信アダプタ１００に搭載されている電池１２２を交換する場合も同様に、回転カバー１０２を反時計回り方向に回転させることで、より多くの電池１２２を交換することが可能となる。
【００４２】
なお、上記説明では、第二孔部１０２ｄを介して収容室１１０ｃに電池１２２（未使用の電池１２２）を供給したが、これに限ることはなく、第一孔部１０２ｃを介して収容室１１０ｃに電池１２２を供給してもよい。第一孔部１０２ｃを介して収容室１１０ｃに電池１２２を供給する場合には、回転カバー１０２を時計回り方向に回転させることで、より多くの電池１２２を情報発信アダプタ１００に搭載することが可能となる。
【００４３】
また、情報発信アダプタ１００が有する収容室１１０ｃの個数は、４個に限ることはなく、複数であればよい。また、情報発信アダプタ１００が有する収容室１１０ｃの個数にかかわらず、より多くの電池１２２を搭載可能にする、より多くの電池１２２を交換可能にする等の観点から、互いに隣接する２つの収容室１１０ｃのうちの、一方に対応して第一孔部１０２ｃを設け、他方に対応して第二孔部１０２ｄを設けることが好ましい。
【００４４】
［電池交換装置］
図６（ａ）は、第１実施形態に係る電池交換装置を説明する図であって、上面側から見た斜視図である。図６（ｂ）は、第１実施形態に係る電池交換装置が有する電池供給部を説明する図である。
第１実施形態の電池交換装置１０は、感知器試験器２０に設けられている。
感知器試験器２０は、火災感知器２００が正常に作動するか確認するための作動試験に用いられる感知器用作動試験器のうち、熱感知器と煙感知器との双方に使用可能な加熱・加煙試験器であり、例えば図６（ａ）に示すように、ヘッド部２０ａと、把持部２０ｂと、ヘッド部２０ａと把持部２０ｂとを連結する連結部２０ｃと、を備えて構成される。
なお、感知器試験器２０は、加熱・加煙試験器に限定されず、熱感知器に使用可能な試験器であってもよいし、煙感知器に使用可能な試験器であってもよいし、炎感知器に使用可能な試験器であってもよい。
【００４５】
ヘッド部２０ａは、被取付部Ｐに設置されている火災感知器２００の下方から当該火災感知器２００を囲って覆うことのできる形状をなしている。ヘッド部２０ａ内には、擬似的な火災を発生する煙／熱発生部（図示省略）や火災感知器２００の作動状態を検出する感知器作動検出部（図示省略）などが設けられている。
把持部２０ｂは、火災感知器２００の保守点検を行う作業者によって把持される棒状部材であり、被取付部Ｐに設置されている火災感知器２００へとヘッド部２０ａを近づけるために用いられる。
連結部２０ｃは、把持部２０ｂに対するヘッド部２０ａの角度を切替可能に、ヘッド部２０ａと把持部２０ｂとを連結している。すなわち、本実施形態の感知器試験器２０は、試験対象の火災感知器２００に対する作業者の位置に応じて、ヘッド角度を切替えることができるよう構成されている。
【００４６】
電池交換装置１０は、例えば、ヘッド部２０ａの周囲に装着されている。
具体的には、電池交換装置１０は、例えば図６（ａ）に示すように、ヘッド部２０ａに取付けられた支持フレーム１１と、支持フレーム１１上に当該支持フレーム１１に対して回転自在に取付けられた円環状の回転プレート１２と、回転プレート１２から上方に向けて突設された円筒状の電池回収部１３、円筒状の電池供給部１４、および円柱状の凸部１５と、を備えて構成される。
【００４７】
電池回収部１３、電池供給部１４、および凸部１５は、情報発信アダプタ１００の回転カバー１０２が有する第一孔部１０２ｃ、第二孔部１０２ｄ、および凹部１０２ｅにそれぞれ対応して設けられている。
すなわち、凸部１５を凹部１０２ｅに位置合わせした状態で、電池交換装置１０を火災感知器２００に近づける（ヘッド部２０ａで火災感知器２００を覆う）と、凸部１５が回転カバー１０２の凹部１０２ｅに、電池回収部１３が回転カバー１０２の第一孔部１０２ｃに、電池供給部１４が回転カバー１０２の第二孔部１０２ｄに挿入されるようになっている。
【００４８】
電池回収部１３は、その内部に電池１２２（使用済みの電池１２２）を複数積層して収容できるよう構成されている。
また、電池供給部１４は、その内部に電池１２２（未使用の電池１２２）を複数積層して収容できるよう構成されている。さらに、電池供給部１４の内部には、例えば図６（ｂ）に示すように、電池１２２が載置される載置板１４ａと、載置板１４ａを上側（電池供給部１４の開放端側）に付勢するコイルばね１４ｂと、が配設されている。すなわち、電池供給部１４は、コイルばね１４ｂの付勢力を利用して、空の収容室１１０ｃに電池１２２を供給できるよう構成されている。
【００４９】
本実施形態において、電池交換装置１０は、回転プレート１２を、ヘッド部２０ａを中心に所定方向（本実施形態の場合、反時計回り方向）に回転させるプレート回転機構（図示省略）を備えている。
プレート回転機構は、例えば、駆動源と、当該駆動源の駆動力を回転プレート１２に伝達する伝達部材と、を有している。また、プレート回転機構は、回転開始からの回転角度が所定角度（本実施形態の場合、２７０度）に達すると、自動的に回転停止するよう構成されている。
【００５０】
また、本実施形態において、電池交換装置１０は、当該電池交換装置１０を火災感知器２００へと近づける際や遠ざける際などに、電池供給部１４が有する電池１２２が落下してしまうことを防止する電池落下防止機構（図示省略）を備えている。
電池落下防止機構は、コイルばね１４ｂの付勢力に抗する力を作用させる状態（電池引入状態（図６（ｂ）の左側参照））と作用させない状態（電池押出状態（図６（ｂ）の右側参照））とを切替可能に構成されている。具体的には、電池落下防止機構は、例えば、駆動源と、当該駆動源の駆動力を載置板１４ａに伝達する伝達部材と、を有しており、載置板１４ａを下側に引く力を載置板１４ａに付与して載置板１４ａの移動を制限する状態（電池引入状態）と、当該付与を解除して載置板１４ａの移動を制限しない状態（電池押出状態）と、に切り替えることができる。
【００５１】
本実施形態において、把持部２０ｂには、ユーザが操作可能なスイッチ（図示省略）が設けられており、当該スイッチがＯＮされると、電池交換装置１０の電池落下防止機構が電池引入状態から電池押出状態に切り替わり、その後、電池交換装置１０のプレート回転機構が停止状態から回転状態に切り替わる。そして、当該スイッチがＯＦＦされると、プレート回転機構が回転状態から停止状態に戻り、その後、電池落下防止機構が電池押出状態から電池引入状態に戻るよう構成されている。
また、電池交換装置１０のプレート回転機構は、回転角度が所定角度（本実施形態の場合、２７０度）に達すると、自動的に回転状態から停止状態に戻る。プレート回転機構が停止状態に戻っている状態で、把持部２０ｂに設けられたスイッチがＯＦＦされると、プレート回転機構は停止状態のまま、電池落下防止機構が電池押出状態から電池引入状態に戻るよう構成されている。
【００５２】
回転プレート１２が回転すると、当該回転プレート１２上に固定されている電池回収部１３、電池供給部１４、および凸部１５がヘッド部２０ａを周回する。したがって、凸部１５が回転カバー１０２の凹部１０２ｅに挿入された状態で回転プレート１２が回転すると、当該回転に追従して、回転プレート１２の回転方向と同じ方向に、回転カバー１０２がアダプタ本体１０１に対して回転する。
【００５３】
ここで、電池交換装置１０を用いた情報発信アダプタ１００の電池交換方法の一例を説明する。
情報発信アダプタ１００の電池交換タイミングになった場合には、まず、例えば図７に示すように、電池交換装置１０を火災感知器２００に近づけて、電池交換装置１０の凸部１５を情報発信アダプタ１００の回転カバー１０２の凹部１０２ｅに位置合わせする。そして、この状態で、電池交換装置１０を火災感知器２００にさらに近づける（ヘッド部２０ａで火災感知器２００を覆う）と、凸部１５が凹部１０２ｅに、電池交換装置１０の電池回収部１３が回転カバー１０２の第一孔部１０２ｃに、電池交換装置１０の電池供給部１４が回転カバー１０２の第二孔部１０２ｄに挿入される。
【００５４】
本実施形態の場合、電池交換装置１０が感知器試験器２０に設けられているため、火災感知器２００の作動試験を行いながら、情報発信アダプタ１００の電池交換を行うことができる。したがって、例えば、作動試験の待ち時間に電池交換を行うことができるため、定期点検の作業効率が向上する。
なお、電池交換装置１０は感知器試験器２０に設けられていなくてもよい。この場合、電池交換装置１０は、例えば、逆円錐台状の支持部（支持フレーム１１に相当する部位）と、当該支持部上に当該支持部に対して回転自在に取付けられた回転プレート１２と、回転プレート１２の上面に固定された電池回収部１３、電池供給部１４、および凸部１５と、把持部（感知器試験器２０の把持部２０ｂに相当する部位）と、当該支持部と当該把持部とを連結する連結部（感知器試験器２０の連結部２０ｃに相当する部位）と、を備えて構成される。
【００５５】
また、本実施形態の場合、例えば図５（ｂ）に示すように、凹部１０２ｅ、第一孔部１０２ｃ、および第二孔部１０２ｄの径が、収容室１１０ｃの径よりも大きい。そのため、凹部１０２ｅに対する凸部１５の位置合わせの精度が低くても、凹部１０２ｅに対する凸部１５の挿入、第一孔部１０２ｃに対する電池回収部１３の挿入、および第二孔部１０２ｄに対する電池供給部１４の挿入を容易に達成することができる。
【００５６】
次いで、把持部２０ｂに設けられたスイッチをＯＮすると、例えば図８に示すように、電池交換装置１０の電池落下防止機構が電池引入状態から電池押出状態に切り替わり、その後、電池交換装置１０のプレート回転機構が停止状態から回転状態に切り替わる。これにより、電池交換装置１０の回転プレート１２が所定方向（本実施形態の場合、反時計回り方向）に回転するととともに、当該回転に追従して、情報発信アダプタ１００の回転カバー１０２が当該所定方向に回転する。
【００５７】
そして、情報発信アダプタ１００が有する４個の収容室１１０ｃのうち電池１２２が収容されている収容室１１０ｃの直下に第一孔部１０２ｃ（および当該第一孔部１０２ｃに挿入されている電池回収部１３）が位置すると、例えば図９に示すように、当該電池１２２が第一孔部１０２ｃを介して落下して電池回収部１３内に収容される。これにより、使用済みの電池１２２を回収することができる。
また、情報発信アダプタ１００が有する４個の収容室１１０ｃのうち電池１２２が収容されていない空の収容室１１０ｃの直下に第二孔部１０２ｄ（および当該第二孔部１０２ｄに挿入されている電池供給部１４）が位置すると、例えば図９に示すように、コイルばね１４ｂの付勢力によって、電池供給部１４が有する電池１２２が当該収容室１１０ｃ内に押し出されて当該収容室１１０ｃに収容される。これにより、未使用の電池１２２を空の収容室１１０ｃに供給することができる。
【００５８】
本実施形態の場合、最大で３個の電池１２２を交換することが可能であるが、その手法の一例を説明する。
ここでは、情報発信アダプタ１００が有する４個の収容室１１０ｃをそれぞれ「収容室Ａ」、「収容室Ｂ」、「収容室Ｃ」、および「収容室Ｄ」と呼ぶとする。そして、これらの収容室が、収容室Ａ→収容室Ｂ→収容室Ｃ→収容室Ｄの順で反時計回り方向に並んでいるとともに、収容室Ａ、収容室Ｂ、および収容室Ｃには電池１２２が収容されており、収容室Ｄには電池１２２が収容されていないとする。
【００５９】
回転プレート１２の回転が開始して、回転カバー１０２が反時計回り方向に回転し、収容室Ａの直下に第一孔部１０２ｃ（および当該第一孔部１０２ｃに挿入されている電池回収部１３）が位置すると、収容室Ａに収容されている電池１２２（使用済みの電池１２２）が回収される。また、収容室Ａの直下に第一孔部１０２ｃが位置すると、収容室Ｄの直下に第二孔部１０２ｄ（および当該第二孔部１０２ｄに挿入されている電池供給部１４）が位置するため、収容室Ｄに電池１２２（未使用の電池１２２）が供給される。
さらに回転カバー１０２が反時計回り方向に９０度回転し、収容室Ｂの直下に第一孔部１０２ｃ（および当該第一孔部１０２ｃに挿入されている電池回収部１３）が位置すると、収容室Ｂに収容されている電池１２２（使用済みの電池１２２）が回収される。また、収容室Ｂの直下に第一孔部１０２ｃが位置すると、収容室Ａの直下に第二孔部１０２ｄ（および当該第二孔部１０２ｄに挿入されている電池供給部１４）が位置するため、先ほど空になった収容室Ａに電池１２２（未使用の電池１２２）が供給される。
【００６０】
さらに回転カバー１０２が反時計回り方向に９０度回転し、収容室Ｃの直下に第一孔部１０２ｃ（および当該第一孔部１０２ｃに挿入されている電池回収部１３）が位置すると、収容室Ｃに収容されている電池１２２（使用済みの電池１２２）が回収される。また、収容室Ｃの直下に第一孔部１０２ｃが位置すると、収容室Ｂの直下に第二孔部１０２ｄ（および当該第二孔部１０２ｄに挿入されている電池供給部１４）が位置するため、先ほど空になった収容室Ｂに電池１２２（未使用の電池１２２）が供給される。
そして、回転カバー１０２の回転開始からの回転角度が２７０度に達すると、すなわち、収容室Ｃと収容室Ｄとの間に第一孔部１０２ｃが位置して情報発信アダプタ１００が閉塞状態になると、回転プレート１２の回転が停止する。これにより、収容室Ａ、収容室Ｂ、および収容室Ｃに収容されていた電池１２２（使用済みの電池１２２）を全て回収して、収容室Ｄ、収容室Ａ、および収容室Ｂに電池１２２（未使用の電池１２２）を供給することができる。
【００６１】
本実施形態のように、４個の収容室１１０ｃが等間隔で配置されている場合であって、４個の収容室１１０ｃのうちの一の収容室１１０ｃに対応して第一孔部１０２ｃが設けられているとともに、当該一の収容室１１０ｃに時計回り側で隣接する収容室１１０ｃに対応して第二孔部１０２ｄが設けられている場合には、回転プレート１２を反時計回り方向に２７０度程度回転させて、回転カバー１０２を反時計回り方向に２７０度程度回転させることで、より多くの電池１２２を交換することが可能となる。
【００６２】
なお、本実施形態では、電池回収部１３が第一孔部１０２ｃに対応し、電池供給部１４が第二孔部１０２ｄに対応するよう構成したが、これに限ることはなく、電池回収部１３が第二孔部１０２ｄに対応し、電池供給部１４が第一孔部１０２ｃに対応するよう構成することも可能である。この場合、回転カバー１０２を時計回り方向に回転させることで、より多くの電池１２２を交換することが可能となる。
また、電池交換装置１０は、電池１２２を交換するときだけでなく、情報発信アダプタ１００を設置するときにも（具体的には、情報発信アダプタ１００の設置方法における第６工程でも）使用することができる。
【００６３】
このように、本実施形態の情報発信アダプタ１００は、火災感知器２００の近傍に設置されている状態で、電池１２２のみを着脱することができる。したがって、火災感知器２００を被取付部Ｐから外したり、感知器ベース２１０から感知器本体２２０を外したり、取付ネジ２３０を緩めたりしなくても、電池１２２のみを着脱することができるため、火災感知器２００による火災監視を中断することなく電池交換を行うことができる。
また、本実施形態の電池交換装置１０を用いることで、情報発信アダプタ１００の電池交換を簡単に行うことができる。
【００６４】
以上説明した第１実施形態の情報発信アダプタ１００は、火災感知器２００に取付可能な情報発信アダプタであって、情報発信端末１２１と当該情報発信端末１２１に電力を供給する電池１２２とを有する情報発信モジュール１２０と、火災感知器２００の外部からの作用によって動作可能な可動体（回転カバー１０２）と、を備え、可動体が動作することによって、電池１２２が交換可能となるよう構成されている。
したがって、第１実施形態の情報発信アダプタ１００によれば、可動体（回転カバー１０２）が動作することによって電池１２２が交換可能となるが、当該可動体は火災感知器２００の外部からの作用によって動作するため、感知器ベース２１０と感知器本体２２０との接続を解除しなくても可動体を動作させることができる。したがって、火災感知器２００による火災監視を中断することなく電池交換を行うことができる。
【００６５】
具体的には、第１実施形態の情報発信アダプタ１００は、火災感知器２００の近傍に取付可能であり、火災感知器２００の外周側面よりも外方に位置するベース部材１１０を備え、ベース部材１１０は、電池１２２を着脱自在に収容する収容凹部（収容室１１０ｃ）を有し、可動体（回転カバー１０２）は、孔部（第一孔部１０２ｃ、第二孔部１０２ｄ）を有し、ベース部材１１０に回転自在に装着され、可動体が回転することによって、収容凹部が当該可動体によって隠蔽された状態（閉塞状態）と、収容凹部が孔部を介して露出された状態（開放状態）と、に変換可能であるよう構成されている。
したがって、火災感知器２００の外部からの作用により可動体（回転カバー１０２）を回転させるだけで電池１２２が交換可能となるため、電池交換を容易に行うことが可能となる。
【００６６】
また、以上説明した第１実施形態の電池交換装置１０は、電池駆動式の情報発信モジュール１２０を備えた情報発信アダプタ１００に搭載されている電池１２２を交換するための電池交換装置であって、情報発信アダプタ１００から使用済みの電池１２２を回収する電池回収部１３と、情報発信アダプタ１００に未使用の電池１２２を供給する電池供給部１４と、回転自在な回転部（回転プレート１２）と、を備え、電池回収部１３、電池供給部１４、および回転部のうちの少なくとも１つ（本実施形態の場合、電池回収部３３および電池供給部３４）が情報発信アダプタ１００の一部（回転カバー１０２）と接した状態で回転部を回転させることによって、電池１２２を交換できるよう構成されている。
【００６７】
したがって、本発明の電池交換装置１０によれば、情報発信アダプタ１００が有する可動体（回転カバー１０２）と接した状態で回転部（回転プレート１２）を回転させるだけで、情報発信アダプタ１００の電池１２２を交換できるため、電池交換を容易に行うことができる。
【００６８】
＜第２実施形態＞
次に、本発明の第２実施形態について説明する。以下、第１実施形態と同様の構成を有する部分については同じ符号を付して説明を省略し、主に異なる部分について説明する。
【００６９】
［情報発信アダプタ］
図１０は、第２実施形態に係る情報発信アダプタの設置例を示す図である。
第２実施形態の情報発信アダプタ３００は、例えば図１０に示すように、火災感知器２００内に配設可能である。なお、本実施形態では、情報発信アダプタ３００を、感知器ベース２１０内に配設するよう構成しているが、これに限ることはなく、情報発信アダプタ３００を、感知器本体２２０内に配設するよう構成してもよい。
【００７０】
図１１（ａ）は、第２実施形態に係る感知器ベースの一例を示す図であって、上面側から見た斜視図である。図１１（ｂ）は、第２実施形態に係る情報発信アダプタの一例を示す図であって、上面側から見た斜視図である。図１２は、第２実施形態に係る感知器ベースおよび情報発信アダプタの一例を示す図であって、（ａ）は上面側から見た斜視図であり、（ｂ）は上面側から見た図である。なお、第２実施形態の説明に用いる各図面（図１０〜図１６）では、感知器ベースとしての機能を実現する機能部（接続端子２１２や挿通孔２１３や引込孔２１４など）の図示を省略している。
【００７１】
本実施形態の感知器ベース２１０は、本体２１１（筐体）の内部に情報発信アダプタ３００を収容するアダプタ用空間２１８が設けられている点のみが、第１実施形態の感知器ベース２１０と異なる。
具体的には、本実施形態の感知器ベース２１０は、例えば図１１（ａ）に示すように、本体２１１（筐体）の内部に、アダプタ用空間２１８と、機能部用空間と、を有している。ここで、機能部用空間は、感知器ベースとしての機能を実現する機能部（接続端子２１２や挿通孔２１３や引込孔２１４など）のための空間である。
【００７２】
すなわち、既存の感知器ベース（第１実施形態の感知器ベース２１０のようなアダプタ用空間２１８を有していない感知器ベース）において、当該感知器ベースの本体の内部空間のうち何にも使用されていない空虚な空間が、アダプタ用空間２１８になり得る。したがって、感知器ベース２１０の本体２１１（筐体）の内部のうち機能部用空間として用いられていない空間に、アダプタ用空間２１８が設けられているため、感知器ベース２１０の大型化を抑制でき、均整のとれた感知器ベース２１０の外観を維持することができる。
【００７３】
アダプタ用空間２１８と機能部用空間とは、当該アダプタ用空間２１８を形成する区画壁によって隔離されている。すなわち、アダプタ用空間２１８に収容されている情報発信アダプタ３００の影響が、機能部用空間に配置されている機能部に及ばないよう構成されている。
また、アダプタ用空間２１８を形成する区画壁のうちの下壁部によって、アダプタ用空間２１８と感知器本体２２０とは隔離されている。すなわち、アダプタ用空間２１８に収容されている情報発信アダプタ３００の影響が、感知器本体としての機能を実現する機能部に及ばないよう構成されている。
このように、本実施形態においては、火災感知器２００内に配設されている情報発信アダプタ３００の影響が、火災感知器としての機能を実現する機能部に及ばないよう構成されているため、火災感知器２００の火災感知機能の信頼性が低下することはない。
【００７４】
例えば図１１（ａ）に示すように、アダプタ用空間２１８は、側方に向けて開口している。すなわち、感知器ベース２１０の本体２１１（筐体）の外周側面に、アダプタ用空間２１８の開口部が設けられている。そして、アダプタ用空間２１８には、当該開口部を介して、火災感知器２００の外方から情報発信アダプタ３００が挿入されるようになっている。
【００７５】
情報発信アダプタ３００は、例えば図１１（ｂ）に示すように、アダプタ用空間２１８の形状に適合する形状のアダプタベース３１０と、当該アダプタベース３１０に装着された情報発信モジュール１２０と、を備えて構成される。
アダプタベース３１０は、端末用ベース部材３１１と電池用ベース部材３１２とに分離可能に構成されている。具体的には、アダプタベース３１０は、当該アダプタベース３１０の厚み方向（本実施形態では上下方向）に略直交する切断面で分割可能な端末用ベース部材３１１と電池用ベース部材３１２とが組み合わされてなる。
【００７６】
情報発信モジュール１２０の情報発信端末１２１は、端末用ベース部材３１１に装着されており、情報発信モジュール１２０の電池１２２は、電池用ベース部材３１２に装着されている。電池用ベース部材３１２には、下方に向けて開口する凹状の収容室３１２ａが１個設けられており、この収容室３１２ａに一の電池１２２が着脱自在に収容される。
また、電池１２２から情報発信端末１２１へと電力を供給することができるよう、端末用ベース部材３１１の切断面と電池用ベース部材３１２の切断面との双方には、端末用ベース部材３１１と電池用ベース部材３１２とが合体した状態（図１１（ｂ）に示す状態）において互いに接触導通する接触端子（図示省略）が設けられている。
【００７７】
端末用ベース部材３１１は、例えば図１２（ａ）に示すように、アダプタ用空間２１８に接合された状態で収容されており、当該接合を解除しなければアダプタ用空間２１８から取外すことができない。ここで、アダプタ用空間２１８に接合された状態とは、アダプタ用空間２１８にネジ止めされている状態や、アダプタ用空間２１８に爪で係止されている状態や、アダプタ用空間２１８に接着されている状態や、アダプタ用空間２１８に溶接されている状態などである。すなわち、端末用ベース部材３１１は、着脱困難にアダプタ用空間２１８に収容されている。
なお、端末用ベース部材３１１は、感知器ベース２１０の本体２１１と一体的に形成されていてもよい。
また、端末用ベース部材３１１は、アダプタ用空間２１８に接合されていない状態で収容されていてもよい。
また、端末用ベース部材３１１は、電池用ベース部材３１２と一体的に形成されていてもよい。
【００７８】
一方、電池用ベース部材３１２は、アダプタ用空間２１８に接合されていない状態で収容されている。すなわち、電池用ベース部材３１２は、着脱容易にアダプタ用空間２１８に収容されている。
アダプタ用空間２１８に対する電池用ベース部材３１２の着脱方向は任意である。本実施形態の電池交換装置３０（後述）を用いた場合、電池用ベース部材３１２を、例えば図１２（ａ），（ｂ）に示すように、火災感知器２００の外方の所定位置にある回転軸を中心とした円周方向に沿って着脱することができる。
【００７９】
本実施形態の感知器ベース２１０は、アダプタ用空間２１８に情報発信アダプタ３００が収容されている状態においても、アダプタ用空間２１８に情報発信アダプタ３００が収容されていない状態においても、既存の感知器ベース、すなわちアダプタ用空間２１８を有していない感知器ベースと同じように使用することができる。
ここで、アダプタ用空間２１８に情報発信アダプタ３００が収容されている状態とは、情報発信端末１２１が装着された端末用ベース部材３１１と、電池１２２が装着された電池用ベース部材３１２と、の双方がアダプタ用空間２１８内に配設されている状態である。
また、アダプタ用空間２１８に情報発信アダプタ３００が収容されていない状態とは、情報発信端末１２１が装着された端末用ベース部材３１１と、電池１２２が装着された電池用ベース部材３１２と、の一方あるいは双方がアダプタ用空間２１８内に配設されていない状態である。
【００８０】
また、本実施形態の感知器ベース２１０は、アダプタ用空間２１８の開口部を塞ぐ封止部材を備えるよう構成されていてもよい。このように構成することによって、アダプタ用空間２１８に情報発信アダプタ３００が収容されていない状態で感知器ベース２１０を使用する際や保管する際などに、アダプタ用空間２１８の開口部を塞いでおくことができるため、アダプタ用空間２１８内への埃等の侵入を防ぐことが可能となる。封止部材は、アダプタ用空間２１８の開口部を塞ぐことができるものであれば適宜選択可能であり、例えば、感知器ベース２１０の本体２１１と同じ材質の蓋体等の非粘着性の部材であってもよいし、粘着テープ等の粘着性の部材であってもよい。
【００８１】
なお、本実施形態では、例えば図１２（ａ）に示すように、アダプタ用空間２１８の上部に端末用ベース部材３１１を配設し、アダプタ用空間２１８の下部に電池用ベース部材３１２を配設したが、これに限ることはなく、例えば、アダプタ用空間２１８の上部に電池用ベース部材３１２を配設し、アダプタ用空間２１８の下部に端末用ベース部材３１１を配設することも可能である。
また、アダプタベース３１０の分割数は、端末用ベース部材３１１と電池用ベース部材３１２との２つに限定されず適宜変更可能である。また、分割方向は、上下に限定されず適宜変更可能である。また、アダプタベース３１０は分割可能でなくてもよく、その場合、例えば、分解不能なアダプタベース３１０の上面側に情報発信端末１２１が装着され、下面側に電池１２２が装着される。
【００８２】
また、本実施形態では、感知器ベース２１０に１つのアダプタ用空間２１８を設けて、端末用ベース部材３１１と電池用ベース部材３１２とを同じアダプタ用空間２１８に収容したが、これに限定されるものではない。例えば、感知器ベース２１０に複数のアダプタ用空間２１８を設けて、端末用ベース部材３１１と電池用ベース部材３１２とを別のアダプタ用空間２１８に収容するよう構成することも可能である。
【００８３】
［電池交換装置］
図１３は、第２実施形態に係る電池交換装置の一例を示す図であって、（ａ）は上面側から見た図であり、（ｂ）は上面側から見た斜視図である。図１４は、第２実施形態に係る電池交換装置の一例を示す図であって、図１３において支持プレート上に電池用ベース部材が載置された状態を示す図である。
第２実施形態の電池交換装置３０は、例えば図１３（ａ），（ｂ）に示すように、支持プレート３１と、支持プレート３１上に当該支持プレート３１に対して回転自在に取付けられた回転体３２と、支持プレート３１から下方に向けて突設された有底円筒状の電池回収部３３および有底円筒状の電池供給部３４と、把持部３５と、支持プレート３１と把持部３５とを連結する連結部３６と、を備えて構成される。
【００８４】
電池交換装置３０は、例えば図１４（ａ）に示すように、火災感知器２００の外周側面に当接した状態で使用される。電池交換装置３０は、例えば図１４（ａ），（ｂ）に示すように、支持プレート３１上に２つの電池用ベース部材３１２を載置可能であり、回転体３２が回転することで、アダプタ用空間２１８に収容されている電池用ベース部材３１２を、支持プレート３１上の電池用ベース部材３１２（未使用の電池１２２が装着された電池用ベース部材３１２）に交換することができる。
【００８５】
回転体３２は、例えば図１３（ａ），（ｂ）に示すように、回転軸３２ａを回転中心とした回転が可能なように支持プレート３１に取付けられている。
回転体３２は、正三角形状の板の各辺に、所定の曲率で凹んだ窪部３２ｂを設けた形状をなしている。窪部３２ｂの曲率半径は、感知器ベース２１０の半径と同一である。したがって、電池用ベース部材３１２の外周面（アダプタ用空間２１８の開口部から露出する面）に、窪部３２ｂ全体を当接させることができる。
【００８６】
支持プレート３１は、火災感知器２００の感知器ベース２１０の外径よりも小さな径の円板に、所定の曲率で凹んだ窪部３１ａを設けた形状をなしている。窪部３１ａの曲率半径は、感知器ベース２１０の半径と同径であるため、感知器ベース２１０の外周側面に窪部３１ａ全体を当接させることができる。これにより、火災感知器２００に対する電池交換装置３０の位置を適正に保った状態で、電池交換を行うことができる。
また、支持プレート３１の外縁（窪部３１ａは除く）には、上側に突出する壁部３１ｂが設けられている。この壁部３１ｂは、支持プレート３１上の電池用ベース部材３１２が回転する回転体３２に追従してスライド移動（回転軸３２ａを中心とした円周方向に沿ったスライド移動）するよう、当該電池用ベース部材３１２の外周面を回転体３２の窪部３２ｂ全体に当接させるために設けられている。
また、支持プレート３１には、上下方向に貫通する第一孔部３１ｃおよび第二孔部３１ｄが設けられている。第一孔部３１ｃと第二孔部３１ｄとは、第一孔部３１ｃ→第二孔部３１ｄの順で反時計回り方向に並んでいる。すなわち、第一孔部３１ｃは、第二孔部３１ｄの時計回り側に位置している。
【００８７】
電池回収部３３は、第１実施形態の電池回収部１３と同様、その内部に電池１２２（使用済みの電池１２２）を複数積層して収容できるよう構成されている。
電池回収部３３の外径は、支持プレート３１の第一孔部３１ｃの径と同径である。電池回収部３３は、当該電池回収部３３の開放端が支持プレート３１の上面と面一の状態で、当該電池回収部３３の外周面が第一孔部３１ｃを形成する周壁面に接合している。
【００８８】
電池供給部３４は、第１実施形態の電池供給部１４と同様、その内部に電池１２２（未使用の電池１２２）を複数積層して収容できるよう構成されているとともに、その内部に、電池１２２が載置される載置板１４ａと、載置板１４ａを上側（電池供給部３４の開放端側）に付勢するコイルばね１４ｂと、が配設されている。
電池供給部３４の外径は、支持プレート３１の第二孔部３１ｄの径と同径である。電池供給部３４は、当該電池供給部３４の開放端が支持プレート３１の上面と面一の状態で、当該電池供給部３４の外周面が第二孔部３１ｄを形成する周壁面に接合している。
【００８９】
把持部３５は、情報発信アダプタ３００の電池交換を行う作業者によって把持される棒状部材であり、被取付部Ｐに設置されている火災感知器２００へと支持プレート３１を近づけるために用いられる。
連結部３６は、把持部３５に対する支持プレート３１の角度を切替可能に、支持プレート３１と把持部３５とを連結している。
【００９０】
本実施形態において、電池交換装置３０は、回転体３２を、回転軸３２ａを中心に所定方向（本実施形態の場合、反時計回り方向）に回転させる回転機構（図示省略）を備えている。
回転機構は、例えば、駆動源と、当該駆動源の駆動力を回転体３２に伝達する伝達部材と、を有している。
本実施形態において、把持部３５には、ユーザが操作可能なボタン（図示省略）が設けられており、当該ボタンが押圧されると、電池交換装置３０の回転機構が停止状態から回転状態に切り替わるよう構成されている。また、回転機構は、回転開始からの回転角度が所定角度（本実施形態の場合、１２０度）に達すると、自動的に回転停止するよう構成されている。
【００９１】
回転機構の停止状態においては、例えば図１３（ａ），（ｂ）に示すように、回転体３２の３つの窪部３２ｂのうちの２つが支持プレート３１の壁部３１ｂと対向し、残りの１つが支持プレート３１の窪部３１ａと同一方向を向いている。
そして、この状態においては、支持プレート３１上の２つの電池用ベース部材３１２のうち、一方の収容室３１２ａが支持プレート３１の第一孔部３１ｃの直上に位置し、他方の収容室３１２ａが支持プレート３１の第二孔部３１ｄの直上に位置する。すなわち、この状態においては、支持プレート３１上の２つの電池用ベース部材３１２のうち、一方が支持プレート３１上の第一孔部３１ｃ側の領域に位置し、他方が支持プレート３１上の第二孔部３１ｄ側の領域に位置する。
【００９２】
第一孔部３１ｃには電池回収部３３が取付けられているため、支持プレート３１上の第一孔部３１ｃ側の領域に電池１２２が装着された電池用ベース部材３１２が位置すると、当該電池１２２が第一孔部３１ｃを介して落下して電池回収部３３内に収容される。これにより、使用済みの電池１２２を回収することができる。
また、第二孔部３１ｄには電池供給部３４が取付けられているため、支持プレート３１上の第二孔部３１ｄ側の領域に収容室３１２ａが空の電池用ベース部材３１２（すなわち、電池１２２が装着されていない電池用ベース部材３１２）が位置すると、電池供給部３４のコイルばね１４ｂの付勢力によって、電池供給部３４が有する電池１２２が当該収容室３１２ａ内に押し出されて当該収容室３１２ａに収容される。これにより、未使用の電池１２２を空の収容室３１２ａに供給することができる。
【００９３】
前述したように、本実施形態において、電池回収部３３が取付けられている第一孔部３１ｃは、電池供給部３４が取付けられている第二孔部３１ｄの時計回り側に位置している。したがって、回転体３２を反時計回り方向に回転させて、支持プレート３１上の２つの電池用ベース部材３１２およびアダプタ用空間２１８内の電池用ベース部材３１２を反時計回り方向にスライド移動させることで、情報発信アダプタ３００の電池１２２を交換することができる。
【００９４】
具体的には、回転体３２を反時計回り方向に回転させることで、例えば図１５（ａ）〜（ｃ）に示すように、支持プレート３１上の第一孔部３１ｃ側の領域に位置していた電池用ベース部材３１２（斜線ハッチングが付された電池用ベース部材３１２）を第二孔部３１ｄ側の領域へと移動させ、支持プレート３１上の第二孔部３１ｄ側の領域に位置していた電池用ベース部材３１２（水玉ハッチングが付された電池用ベース部材３１２）をアダプタ用空間２１８内へと移動させ、アダプタ用空間２１８内の電池用ベース部材３１２（格子ハッチングが付された電池用ベース部材３１２）を支持プレート３１上の第一孔部３１ｃ側の領域へと移動させることができる。
これにより、アダプタ用空間２１８から電池用ベース部材３１２および当該電池用ベース部材３１２に装着されている電池１２２（使用済みの電池１２２）を取出すとともに、電池供給部３４から供給された電池１２２（未使用の電池１２２）が装着されている電池用ベース部材３１２を当該アダプタ用空間２１８に取付けることができる。すなわち、電池用ベース部材３１２を再利用しながら、情報発信アダプタ３００の電池１２２を交換することができる。
【００９５】
ここで、電池交換装置３０を用いた情報発信アダプタ３００の電池交換方法の一例を説明する。
情報発信アダプタ３００の電池交換タイミングになった場合には、まず、支持プレート３１を火災感知器２００に近づけて、回転体３２の一の窪部３２ｂ（３つの窪部３２ｂのうちの、支持プレート３１の窪部３１ａと同一方向を向いている窪部３２ｂ）が、アダプタ用空間２１８内の電池用ベース部材３１２の外周面と対向するように位置合わせする。そして、この状態で、支持プレート３１を火災感知器２００にさらに近づける（支持プレート３１の窪部３１ａを火災感知器２００の外周側面に当接させる）と、回転体３２の当該一の窪部３２ｂが、アダプタ用空間２１８内の電池用ベース部材３１２の外周面に当接される。
【００９６】
次いで、把持部３５に設けられたボタンを押圧すると、電池交換装置３０の回転機構が停止状態から回転状態に切り替わる。これにより、回転体３２が所定方向（本実施形態の場合、反時計回り方向）に回転するととともに、当該回転に追従して、支持プレート３１上の２つの電池用ベース部材３１２およびアダプタ用空間２１８内の電池用ベース部材３１２が当該所定方向にスライド移動する。
【００９７】
具体的には、アダプタ用空間２１８内の電池用ベース部材３１２が、支持プレート３１上の第一孔部３１ｃ側の領域へとスライド移動するため、例えば図１６に示すように、当該電池用ベース部材３１２の収容室３１２ａに収容されていた電池１２２（使用済みの電池１２２）が電池回収部３３に回収される。
また、支持プレート３１上の第一孔部３１ｃ側の領域に位置する電池用ベース部材３１２（すなわち、収容室３１２ａが空の電池用ベース部材３１２）が、支持プレート３１上の第二孔部３１ｄ側の領域へとスライド移動するため、例えば図１６に示すように、当該電池用ベース部材３１２の収容室３１２ａに電池供給部３４から電池１２２（未使用の電池１２２）が供給される。
また、支持プレート３１上の第二孔部３１ｄ側の領域に位置する電池用ベース部材３１２（すなわち電池供給部３４から供給された電池１２２が装着されている電池用ベース部材３１２）が、アダプタ用空間２１８内へと移動する。
これにより、情報発信アダプタ３００の電池１２２が交換される。
【００９８】
なお、本実施形態では、電池回収部３３を第一孔部３１ｃに取付けるとともに、電池供給部３４を第二孔部３１ｄに取付けるよう構成したが、これに限ることはなく、電池回収部３３を第二孔部３１ｄに取付けるとともに、電池供給部３４を第一孔部３１ｃに取付けるよう構成することも可能である。この場合、回転体３２を時計回り方向に回転させることで、情報発信アダプタ３００の電池１２２を交換することが可能となる。
また、電池交換装置３０は、電池１２２を交換するときだけでなく、情報発信アダプタ３００を設置するとき（具体的には、例えば、アダプタ用空間２１８に情報発信アダプタ３００が収容されていない状態で使用中の火災感知器２００に、電池１２２が装着された電池用ベース部材３１２を取付けるとき）にも使用することができる。この場合、アダプタ用空間２１８内に収容室３１２ａが空の電池用ベース部材３１２を予め配設しておき、この電池用ベース部材３１２を、電池交換装置３０を用いて、未使用の電池１２２が装着された電池用ベース部材３１２と交換するようにしてもよい。
【００９９】
このように、本実施形態の情報発信アダプタ３００は、火災感知器２００の内部に設置されている状態で、電池１２２が装着された電池用ベース部材３１２のみを着脱することができる。したがって、火災感知器２００を被取付部Ｐから外したり、感知器ベース２１０から感知器本体２２０を外したり、取付ネジ２３０を緩めたりしなくても、電池１２２が装着された電池用ベース部材３１２のみを着脱することができるため、火災感知器２００による火災監視を中断することなく電池交換を行うことができる。
【０１００】
また、本実施形態の電池交換装置３０を用いることで、情報発信アダプタ３００の電池交換を簡単に行うことができる。
なお、本実施形態の電池交換装置３０を、感知器試験器２０に設けることも可能である。この場合、電池交換装置３０は、例えば、支持プレート３１と、支持プレート３１上に当該支持プレート３１に対して回転自在に取付けられた回転体３２と、支持プレート３１から下方に向けて突設された電池回収部３３および電池供給部３４と、支持プレート３１とヘッド部２０ａとを連結する連結部と、を備え、ヘッド部２０ａで火災感知器２００を覆うと、支持プレート３１の窪部３１ａが火災感知器２００の外周側面に当接するよう構成される。電池交換装置３０を、感知器試験器２０に設けることで、火災感知器２００の作動試験を行いながら、情報発信アダプタ３００の電池交換を行うことができるため、定期点検の作業効率が向上する。
また、本実施形態の電池交換装置３０は、電池１２２が装着された電池用ベース部材３１２のみを交換可能であるが、これに限ることはなく、電池交換装置３０は、電池１２２が装着された電池用ベース部材３１２および情報発信端末１２１が装着された端末用ベース部材３１１をまとめて交換可能、すなわち情報発信アダプタ３００全体を交換可能に構成されていてもよい。電池交換装置３０が情報発信アダプタ３００全体を交換可能に構成されている場合、端末用ベース部材３１１と電池用ベース部材３１２とは、分離不能に（一体的に）形成されていてもよいし、本実施形態のように分離可能に形成されていてもよい。
【０１０１】
以上説明した第２実施形態の情報発信アダプタ３００は、火災感知器２００に取付可能な情報発信アダプタであって、情報発信端末１２１と当該情報発信端末１２１に電力を供給する電池１２２とを有する情報発信モジュール１２０と、火災感知器２００の外部からの作用によって動作可能な可動体（電池用ベース部材３１２）と、を備え、可動体が動作することによって、電池１２２が交換可能となるよう構成されている。
したがって、第２実施形態の情報発信アダプタ３００によれば、可動体（電池用ベース部材３１２）が動作することによって電池１２２が交換可能となるが、当該可動体は火災感知器２００の外部からの作用によって動作するため、感知器ベース２１０と感知器本体２２０との接続を解除しなくても可動体を動作させることができる。したがって、火災感知器２００による火災監視を中断することなく電池を交換することができる。
【０１０２】
具体的には、第２実施形態の情報発信アダプタ３００は、火災感知器２００の内部に取付可能であり、可動体（電池用ベース部材３１２）は、電池１２２を着脱自在に収容する収容凹部（収容室３１２ａ）を有し、火災感知器２００に対してスライド移動自在であり、可動体がスライド移動することによって、当該可動体が火災感知器２００の外面に設けられた着脱口（アダプタ用空間２１８の開口）から挿入されて収容凹部が火災感知器２００の内部に隠蔽された状態（電池用ベース部材３１２がアダプタ用空間２１８内に配設された状態）と、当該可動体が着脱口から抜去されて収容凹部が外部に露出した状態（電池用ベース部材３１２がアダプタ用空間２１８外（例えば、支持プレート３１上）に配設された状態と、に変換可能であるよう構成されている。
したがって、火災感知器２００の外部からの作用により可動体（電池用ベース部材３１２）をスライド移動させるだけで電池１２２が交換可能となるため、電池交換を容易に行うことができる。
【０１０３】
また、以上説明した第２実施形態の電池交換装置３０は、電池駆動式の情報発信モジュール１２０を備えた情報発信アダプタ１００に搭載されている電池１２２を交換するための電池交換装置であって、情報発信アダプタ１００から使用済みの電池１２２を回収する電池回収部３３と、情報発信アダプタ１００に未使用の電池１２２を供給する電池供給部３４と、回転自在な回転部（回転体３２）と、を備え、電池回収部３３、電池供給部３４、および回転部のうちの少なくとも１つ（本実施形態の場合、回転部（回転体３２））が情報発信アダプタ１００の一部（電池用ベース部材３１２）と接した状態で回転部を回転させることによって、電池１２２を交換できるよう構成されている。
【０１０４】
したがって、本発明の電池交換装置３０によれば、情報発信アダプタ３００が有する可動体（電池用ベース部材３１２）と接した状態で回転部（回転体３２）を回転させるだけで、情報発信アダプタ３００の電池１２２を交換できるため、電池交換を容易に行うことができる。
【０１０５】
以上、本発明の実施形態について説明したが、本発明は上記実施形態に限られるものではない。
例えば、上記実施形態では、情報発信モジュール１２０として発信機能を有するものを使用した例を示したが、発信機能の他、受信機能を有するものを使用してもよい。
また、火災感知器２００は、感知器ベース２１０と感知器本体２２０とに分離可能なものに限定されず適宜変更可能であり、例えば、感知器ベース２１０を備えない火災感知器、すなわち、感知器ベースを介することなく、被取付部Ｐに一体的な構成のまま取り付けられる火災感知器であってもよい。
【０１０６】
また、上記第１実施形態において、アダプタ本体１０１のベース部材１１０や回転カバー１０２の形状は、適宜変更可能であるが、ベース部材１１０や回転カバー１０２の形状にかかわらず、情報発信アダプタ１００は、火災感知器２００の検出機能を妨害することがない位置（具体的には、火災感知器２００が熱検知タイプのものであれば、サーミスタおよびプロテクタ周辺を避けた位置、火災感知器２００が煙検知タイプのものであれば、煙流入部周辺を避けた位置）に配設されることが好ましい。
【０１０７】
また、上記第２実施形態においては、感知器本体２２０に、アダプタ用空間２１８を備えることも可能である。この場合、感知器本体２２０の筐体の内部のうち、感知器本体としての機能を実現する機能部のための機能部用空間として用いられていない空間に、アダプタ用空間２１８が配置される。ここで、感知器本体としての機能を実現する機能部は、例えば、火災を感知する感知手段、火災を感知したときに報知する報知手段等である。すなわち、この場合、既存の感知器本体（アダプタ用空間２１８を有していない感知器本体）において、当該感知器本体の筐体の内部空間のうち何にも使用されていない空虚な空間が、アダプタ用空間２１８になり得る。
その他、実施形態で示した構成は、発明の趣旨を逸脱しない範囲で適宜変更可能である。
【符号の説明】
【０１０８】
１０，３０  電池交換装置
１２  回転プレート（回転部）
１３，３３  電池回収部
１４，３４  電池供給部
３２  回転体（回転部）
１００，３００  情報発信アダプタ
１０２  回転カバー（可動体）
１０２ｃ  第一孔部（孔部）
１０２ｄ  第二孔部（孔部）
１１０  ベース部材
１１０ｃ  収容室（収容凹部）
１２０  情報発信モジュール
１２１  情報発信端末
１２２  電池
２００  火災感知器
３１２  電池用ベース部材（可動体）
３１２ａ  収容室（収容凹部）
【図１】
2018055305.tif 000003
【図２】
2018055305.tif 000004
【図３】
2018055305.tif 000005
【図４】
2018055305.tif 000006
【図５】
2018055305.tif 000007
【図６】
2018055305.tif 000008
【図７】
2018055305.tif 000009
【図８】
2018055305.tif 000010
【図９】
2018055305.tif 000011
【図１０】
2018055305.tif 000012
【図１１】
2018055305.tif 000013
【図１２】
2018055305.tif 000014
【図１３】
2018055305.tif 000015
【図１４】
2018055305.tif 000016
【図１５】
2018055305.tif 000017
【図１６】
2018055305.tif 000018